(57)【要約】大規模光ネットワーク用のネットワーク管理システムは接続管理システムを含み、ネットワーク中のネットワーク要素間でユーザが接続をマニュアルで構築可能にする。ユーザは一般的な接続属性を規定し、ネットワーク要素を１以上の経路に付加し、経路接続を構築するために各ネットワーク要素内で相互接続を準備する。接続管理システムは、ユーザの規定した接続の有効性を検証する検証機能と、ソースノードのネットワークアドレス及びソースノード及び１以上の宛先ノード間の接続をユーザが指定できるようにするグラフィカルユーザインターフェースとを含む。ネットワーク管理システムプログラムは、ユーザによる活性化により、選択された接続をペンディング接続又はアクティブ接続として格納するデータベースと、ユーザによる活性化により、ソース及び宛先ノード間の物理的な接続を構築させるプログラムモジュールとを含む。
2006506903.tif 000002
【特許請求の範囲】
【請求項１】
結合された複数のコンピュータを有するネットワークを構築するためのグラフィカルユーザインターフェースシステムであって：
第１の表示ウインドウ内でソースノードに対するネットワークアドレスをユーザが指定することを可能にする第１のユーザ入力領域；
前記第１の表示ウインドウ内で宛先ノードに対するネットワークアドレスをユーザが指定することを可能にする第２のユーザ入力領域；
第２の表示ウインドウ内でネットワーク中のソースノードと１以上の宛先ノードとの間の接続をグラフィックスでユーザが選択することを可能にする第３のユーザ入力領域；
選択された接続をペンディング接続として格納する第１のデータベース；
前記ユーザによる活性化により、選択された接続をアクティブ接続として格納する第２のデータベース；及び
前記ユーザによる活性化により、ソース及び宛先ノード間の物理的な接続を構築させるプログラムモジュール；
を有することを特徴とするグラフィカルユーザインターフェースシステム。
【請求項２】
請求項１記載のシステムであって、前記ユーザにより選択された接続が前記ソースノード及び選択された宛先ノード間の物理的な接続に対応しないことを特徴とするシステム。
【請求項３】
請求項１記載のシステムであって、ソースノードのネットワークアドレス及び宛先ノードのネットワークアドレス並びにソース及び宛先ノード間に設けられる任意のネットワークアドレスに基づいて、ソースノード及び宛先ノード間の少なくともコスト経路を自動的に判定するプログラムモジュールを更に有することを特徴とするシステム。
【請求項４】
請求項１記載のシステムであって、選択された接続で記述される物理的接続の不具合の際に、１以上のアラームをソースノード及び宛先ノード間の選択された接続に関連付けるモジュールを更に有することを特徴とするシステム。
【請求項５】
請求項１記載のシステムであって、選択した接続を削除すること、選択した接続を活性化すること、選択した接続の活性化を解除すること、選択した接続を分離すること、選択した接続を検証すること及び選択した接続を検査することをユーザが行えるようにするプログラミングモジュールを更に有することを特徴とするシステム。
【請求項６】
請求項１記載のシステムであって、前記ネットワークが、同期ディジタルハイアラーキネットワークより成ることを特徴とするシステム。
【請求項７】
請求項２記載のシステムであって、前記ネットワークが、光ファイバを通じて結合されネットワーク化された複数のノードを有する同期光ネットワークより成ることを特徴とするシステム。
【請求項８】
複数のネットワーク要素を共に結合するネットワークを構築する方法であって：
前記複数のネットワーク要素中の第１組のネットワーク要素間の接続を有する属性を規定するステップ；
前記第１組のネットワーク要素の１以上の動作特性を規定する属性を規定するステップ；
前記第１組のネットワーク要素の各ネットワーク要素内に１以上の相互接続を手動で用意するステップ；及び
前記第１組のネットワーク要素間の接続を構築するために前記１以上の相互接続を活性化するステップ；
を有することを特徴とする方法。
【請求項９】
請求項８記載の方法であって、前記１以上の相互接続を活性化するステップの前に、接続をペンディング接続として規定するステップを更に有することを特徴とする方法。
【請求項１０】
請求項９記載の方法であって、接続の属性が所定の条件に従うか否かを判定するために接続を自動的に検証するステップ；及び
前記接続情報をデータベースに格納するステップ；
を有することを特徴とする方法。
【請求項１１】
請求項８記載の方法であって、少なくとも一部の接続について、前記第１組のネットワーク要素間の少なくともコスト経路を自動的に判定するステップを更に有することを特徴とする方法。
【請求項１２】
請求項８記載の方法であって、前記第１組のネットワーク要素間の接続に１以上のアラームを関連付けるステップを更に有することを特徴とする方法。
【請求項１３】
請求項８記載の方法であって、前記第１組のネットワーク要素各自のチャネル間に描かれた接続線を示す１以上の相互接続をグラフィカルユーザインターフェースで表示するステップを更に有することを特徴とする方法。
【請求項１４】
請求項８記載の方法であって、前記ネットワークが、同期ディジタルハイアラーキネットワークより成ることを特徴とする方法。
【請求項１５】
請求項８記載の方法であって、前記ネットワークが、光ファイバを通じて結合されネットワーク化された複数のノードを有する同期光ネットワークより成ることを特徴とする方法。
【請求項１６】
第１のネットワーク要素と第２のネットワーク要素を接続するネットワーク区間に関連する接続を表示するネットワーク管理システムであって：
第１の表示ウインドウ内でソースネットワーク要素に対するネットワークアドレスをユーザが指定することを可能にする第１のユーザ入力領域；
前記第１の表示ウインドウ内で宛先ネットワーク要素に対するネットワークアドレスをユーザが指定することを可能にする第２のユーザ入力領域；
第２の表示ウインドウ内でネットワーク中のソースネットワーク要素と１以上の宛先ネットワーク要素との間の接続をグラフィックスでユーザが選択することを可能にする第３のユーザ入力領域；
選択された接続をペンディング接続又はアクティブ接続としてユーザが格納することを可能にする第１のプログラムモジュール；
前記ユーザによる活性化により、ソース及び宛先ノード間の物理的な接続を構築させる第２のプログラムモジュール；
第１の表示領域内での送信チャネルの表示と、第２の表示領域内での受信チャネルの表示とを関連付ける同期機能部；及び
前記第１の表示領域内で送信チャネルの表示をユーザがスクローリングすることに従って、前記第２の表示領域内で受信チャネルの表示スクロールするよう構築されたスクローリング機能部；
を有することを特徴とするネットワーク管理システム。
【請求項１７】
請求項１８記載のネットワーク管理システムであって、前記ソースネットワーク要素及び前記１以上の宛先ネットワーク要素の各ネットワーク要素の中で１以上の相互接続をマニュアルでユーザが用意することを可能にする第３モジュールを更に有することを特徴とするネットワーク管理システム。
【請求項１８】
請求項１８記載のネットワーク管理システムであって：
接続の属性が所定の条件に従うか否かを判定するために接続を自動的に検証する検証モジュール；及び
検証した接続についての接続情報をデータベースに格納する格納モジュール；
を更に有することを特徴とするネットワーク管理システム。
【請求項１９】
請求項１８記載のネットワーク管理システムであって、前記ネットワークが、同期ディジタルハイアラーキネットワークより成ることを特徴とするネットワーク管理システム。
【請求項２０】
請求項１８記載のネットワーク管理システムであって、前記ネットワークが、光ファイバを通じて結合されネットワーク化された複数のノードを有する同期光ネットワークより成ることを特徴とするネットワーク管理システム。
【発明の詳細な説明】
【技術分野】
【０００１】
本発明は、一般にネットワーク管理システムに関し、特に様々なネットワーク接続及び表示機能を実現及び制御するグラフィカルユーザインターフェースに関する。
【背景技術】
【０００２】
大規模分散型ネットワークは、大規模ネットワーク管理システム（ＮＭＳ）プログラムにより管理され、ＮＭＳプログラムはネットワーク要素やネットワークを構成するリンクのための様々なインターフェースプロトコルを調整及び管理する。現代の大規模広域ネットワーク（ＷＡＮ）又は大都市ネットワーク（ＭＡＮ）は何百或いは何千マイルをも超えて分散している何千ものネットワーク要素から構成され得る。これらのネットワーク要素又はノードは、非常に多数のネットワークリンクを通じて互いに結合される。大規模地上ネットワークは典型的には物理ネットワークインフラストラクチャを実現するのに光通信システムを使用する。これらのネットワーク間のネットワーク相互接続用の主要な規格は、同期光ネットワーク（ソネット）（ＳＯＮＥＴ）規格である。ソネット規格は、アドレッシング、データパッケージング、タイミング、プロトコルインターフェース及びネットワークシステムの機能動作に関する他のパラメータを包括的に規定する。そのような大規模ネットワークを管理するには、複雑なネットワーク管理システムが必要とされる。そのようなネットワーク管理システムは、一般的には、コンフィギュレーション管理、パフォーマンス管理、障害管理、セキュリティ管理、波長管理、接続管理及びネットワークノードプロファイル管理に加えて他の様々なタスクのような様々な異なるタスクを実行する必要がある。
【発明の開示】
【発明が解決しようとする課題】
【０００３】
複雑なネットワーク管理システムプログラムを用いて大規模ネットワークを効率的に管理するには、ネットワークオペレーションセンタの職員がそのネットワークを効率的に設計、管理、監視及び修正できるように、洗練されたグラフィカルユーザインターフェースを必要とする。更に、広範な領域に及ぶ広域ネットワークの増大する複雑性により、効率的な接続及びルーティングが、伝送効率を保証し且つ帯域制限を維持するのに必要である。現在のネットワーク管理システムは、様々なノード間のリンクの設計を支援する接続管理機能をある程度提供する。しかしながら、一般的な接続プログラムは、比較的小規模のネットワークに合わせられており、何千ものノードを特徴付ける大規模ネットワークに関して検証されてはいない。更に、一般的な従来のネットワーク管理システムは、ネットワーク設計者による最適化された内容のネットワーク経路を設計及び管理することを許容する柔軟な接続機能を提供しない。また、これらのシステムは、シェルフやカードレベルにまで下がったネットワークの階層図を表示可能にする直感的なグラフィカルユーザインターフェースを通常は提供しない。
【０００４】
従って、必要とされているものは、複雑なネットワークを介するソネットによるエンドトゥエンド経路を構築可能なネットワーク管理システム、エンドトゥエンド経路の自動的な又は半自動的な（部分的に手動の）ルーティングを可能にするシステムである。更に必要とされるものは、ＳＤＨ及びＤＷＤＭネットワークを発展させることができ、且つ大規模なネットワーク（例えば、８０００ノード及び５０のアクティブユーザに及ぶネットワーク）に適合するネットワーク管理システムである。
【課題を解決するための手段】
【０００５】
ネットワークコンフィギュレーションを表示及び修正するネットワーク管理システム及びグラフィカルユーザインターフェースが記述される。グラフィカルユーザインターフェースは、接続された複数のコンピュータを有するネットワークを制御するネットワーク管理システムの部分を有する。グラフィカルユーザインターフェースは、第１の表示ウインドウ内でソースノードに対するネットワークアドレスをユーザが指定することを可能にする第１のユーザ入力領域と、前記第１の表示ウインドウ内で宛先ノードに対するネットワークアドレスをユーザが指定することを可能にする第２のユーザ入力領域と、第２の表示ウインドウ内でネットワーク中のソースノードと１以上の宛先ノードとの間の接続をグラフィックスでユーザが選択することを可能にする第３のユーザ入力領域とを含む。ネットワーク管理システムプログラムは、選択された接続をペンディング接続として格納する第１のデータベースと、前記ユーザによる活性化により、選択された接続をアクティブ接続として格納する第２のデータベースと、前記ユーザによる活性化により、ソース及び宛先ノード間の物理的な接続を構築させるプログラムモジュールとを含む。
【０００６】
ネットワーク管理システムは接続管理システムを含み、接続管理システムはネットワーク内のネットワーク要素間の接続をユーザが手動で構築可能にする。ユーザは、ネットワーク内の一般的な接続の属性を定め、ネットワーク要素を１以上の経路に加える。ユーザは、経路接続を構築するために各ネットワーク要素内に相互接続部を用意する。接続管理システムは、ユーザの規定する接続の有効性を確認する確認機能を有する。このグラフィカルユーザインターフェースにより、様々な対話機能が提供され、ユーザは、接続を検査すること、接続を調停すること、経路や相互接続を修正すること、警報状態を設定すること及び他の同様な機能のような様々な接続管理システムモジュールを実行できる。
【０００７】
同期したスクローリング機能は、利用可能なチャネルの総数が単独の表示領域に表示可能な最大数を超える場合に、第１及び第２の表示領域内で対応するチャネルの属性に合わあせて表示されることを可能にする。
【発明を実施するための最良の形態】
【０００８】
本発明による他の特徴及び利点は、添付図面及び以下の詳細な説明により更に明瞭になるであろう。
【０００９】
本発明は限定ではなく例示的な添付図面により説明され、図中の同様な参照符号は同様な要素を示す。  
大規模光ネットワーク用のネットワーク管理システムプログラム及びグラフィカルユーザインターフェースが以下に説明される。以下の説明では、説明の目的で、多くの具体的な詳細が本発明の理解を図るために述べられる。しかしながら、本発明は具体的な詳細とは別に実現されてもよいことが当業者には明白であろう。また、周知の構造及び装置は説明の便宜上ブロック図形式で示される。好適実施例に関する説明は、添付の特許請求の範囲の範囲を限定するためのものではない。
【００１０】
本発明の幾つかの態様はソフトウエア命令を実行する１以上のコンピュータで実現されてもよい。本発明の一実施例によれば、サーバコンピュータシステムは、コンピュータネットワーク又は標準的な電話回線を通じてデータを送信及び受信する。本発明の他の態様に加えて、データへのアクセス、ダウンロード及び操作を行うステップは、メモリに格納された一連の命令を実行するサーバコンピュータ内の中央処理装置（ＣＰＵ）で実行される。メモリは、ランダムアクセスメモリ（ＲＡＭ）、読み取り専用メモリ（ＲＯＭ）、大容量記憶装置のような永続的な格納部又はそれらの装置のいかなる組み合わせでもよい。一連の命令の実行は、本発明の実施例によるステップをＣＰＵに実行させる。
【００１１】
命令は、格納装置から又はネットワーク接続を通じて１以上の他のコンピュータシステムからサーバコンピュータのメモリにロードされてもよい。例えば、クライアントコンピュータは、サーバ近辺のネットワークを通じて伝送されたメッセージに応答して、一連の命令をサーバコンピュータに送信してもよい。サーバは、ネットワーク接続を介して命令を受信すると、その命令をメモリに格納する。サーバは、以後の実行用にその命令を格納してもよいし、それらがネットワーク接続を通じて到着した際にその命令を実行してもよい。ある場合には、ダウンロードしされた命令はＣＰＵによって直接的にサポートされてもよい。別の場合には、命令は、ＣＰＵによって直接的に実行可能でなくその代わりに命令を解読するインタープリターにより実行されてもよい。他の実施例では、本発明を実現するソフトウエア命令の代わりに又はそれと組み合わせてハードウエア回路が使用されてもよい。本発明は、ハードウエア回路及びソフトウエア回路の具体的などの組み合わせにも限定されず、サーバ又はクラアイントコンピュータにより実行される命令のどの特定のソースにも限定されない。
【００１２】
ネットワークトポグラフィ
図１は本発明の実施例に使用可能な大規模に分散したネットワークの表現を示す。図１の表示画面に示されるように、合衆国を横切って伸びる長距離ネットワークのネットワーク要素及びリンクが、北アメリカの背景図上に表示される。ネットワーク１００は、一連のリンク又は区間１０４にて互いに接続されたいくつかのネットワーク要素又はノード１０２より成る。ネットワーク１００の例は大規模ネットワークであるが、本発明の実施例は、いかなるタイプの又は規模の広域ネットワーク（ＷＡＮ）に使用可能であり、或いはネットワーク要素間の距離がかなり大きい同様なネットワークに使用可能であることに留意を要する。
【００１３】
一実施例では、ネットワーク１００は同期光ネットワーク（ＳＯＮＥＴ：ソネット）システムであり、そのシステムではネットワークノードを接続する媒体は光ファイバケーブルである。ソネットネットワークは、リング構成のネットワークノード間で２つの伝送経路を使用する。各ノードはネットワーク要素を表現し、そのネットワーク要素はディジタル相互接続システム（ＤＣＳ：Ｄｉｇｉｔａｌ  Ｃｒｏｓｓｃｏｎｎｅｃｔ  Ｓｙｓｔｅｍ）又は付加−除去マルチプレクサ（ＡＤＭ）として典型的には実現される或いはそれらを含む。付加−除去マルチプレクサは、低速音声及びデータ信号を高速回線に切り換える及び多重化するために遠距離通信キャリアで一般的に使用されるネットワーク装置である。この種のノードは、中央オフィス電話交換と共に広範に使用され、典型的には幾つかのＴ１回線を高速の電気的又は光学的な回線に集約するのに使用される。ディジタル相互接続は、複数のソネットリンク間のトラフィックを切り換えるために使用され、高速回線から他の高速回線へのリンクに役立つ。ソネットネットワークでノードを共に結合するリングは一般的には双方向の逆回りのリングである。この構成は様々なプロテクション措置の実現を促す。どのネットワークも様々なタイプの不具合に少なくともある程度は影響を受ける。そのような不具合（障害）は、ノード障害、劣化した信号、損傷を受けたネットワーク回線及び他のそのような不具合を含んでもよい。そのような問題に起因する全体的なネットワーク崩壊のリスクを最小化するため、ソネットリングは２以上の逆回りのリングを含む。一方のリングは「ワーキング」リング又はファイバ経路と呼ばれ、他方のリングは「待ち受け（スタンバイ）」又はプロテクションリング又はファイバ経路と呼ばれる。ワーキングリングは典型的にはリング周囲を時計方向に回り、スタンバイリングは反時計回りに回るが、これらのリングに関する実際の回転方向は機器製造者が採用する取り決めに依存して相違してもよい。
【００１４】
ソネットネットワーク全体は複合的なリング及びサブリング構造から構成されることも間々ある。様々なネットワークノード間で効果的な経路を構築することは、ネットワークの設計者及びオペレータの重要業務である。ネットワーク管理システムプログラムは、ルーティングルーチンをしばしば含み、ネットワーク要素間で設計者が最適な経路を決定するのを支援する。従って、図１に示されるネットワークに関し、ネトワーク管理システムプログラムは、ネットワークの設計、修正、データトラフィック制御及び他の処理態様を管理するためにネットワーク１００で実行される。ネットワーク管理システムのグラフィカルユーザインターフェースは、図１に示されるようなネットワークが及ぶ地域の概略図を示し、その概略図ではネットワークは合衆国の地図に重ねて表示される。
【００１５】
一般に、グラフィカルユーザインターフェースは、指定及びクリック操作によりネットワーク設計及び管理業務のほとんどをユーザが実行できるようにする。様々なことなある表画面がグラフィカルユーザインターフェースを構成する。階層的な表示リストは、表示レベル間の速やかなナビゲーション機能を与えるように使用可能である。図１に示されるように、ネットワークトポロジ及びコンフィギュレーションの表示は、ネットワークの設計及び操作の際に設計者及びユーザを支援する。標準化されたアイコンは、サーバコンピュータ、相互接続部、付加／除去マルチプレクサ等のような様々なタイプのネットワークノードを表現するために使用される。スナップトゥグリッド機能は、背景地図上でネットワーク要素のアイコンを正確に位置決めすることを可能にする。物理的な実現性の観点からは、ネットワーク回線へのアクセス機能を提供する棚に搭載されるカードを含むのが一般的である。ネットワーク管理システムプログラムは、通常的には、表示される各要素に提供されるコンフィギュレーション及びステータス情報と共にグラフィカルシェルフ及びカードディスプレイを含む。
【００１６】
一実施例では、ネットワーク管理システムで管理されるネットワーク機器は、共通言語機器識別（ＣＬＥＩ）コーディングを用いて識別される。これは、配備される機器を追跡する動的なリスト管理属性であり、機器のプリントアウト機能を提供する。ネットワーク管理システムは、機器や相互接続部を遠隔的に準備すること、リスト管理、ネットワーク要素に関するレポートを生成すること、ネットワーク要素の同期、及び特にそのようなタスク内での検査のような様々な異なるコンフィギュレーション管理タスクを実行する。ネットワーク管理システムは、パフォーマンス閾値の設定や回復、パフォーマンス測定値の報告、及び閾値交差警報及び他の同様なタスクのような様々なパフォーマンス管理機能も提供する。パフォーマンス及びタスク管理機能と並んで、ネットワーク管理システムは、ユーザプロファイルに基づいてセキュリティレベルを定めること、イベントに基づくアラームの起動、カード及び施設に対する警報重要度マッピング、影響を受ける回路を確認するため障害を関連付けること及び他の同様なタスクのようなセキュリティ及び障害管理タスクも実行可能である。
【００１７】
本発明の一実施例では、ネットワーク管理システムは、ソネットネットワーク内で管理される様々な要素に対する相互接続機能及び接続管理機能を提供する。以下の説明に関し、管理される要素は、ソネット／ＳＤＨペイロードトラフィックの伝送及び／又はアクセスサービスを提供するネットワーク要素である。物理的な終端地点（ＰＴＰ）は、トポロジ（物理）リンクの実際の又は可能なエンドポイントである。具体例は、Ｔ１ポート、Ｔ３ポート、ＯＣ−Ｎ光ポート及びＯＶＴＧポートである。一般に、ＯＣ−Ｎ、ＯＶＴＧ及びＥＣ−１ポートのみがリンク可能であり、即ちトポロジ的なリンクを所有できる。接続終端点（ＣＴＰ）は管理される接続の実際の又は可能なエンドポイントである。例えば、ＣＴＰは論理チャネル又は物理リンクでのタイムスロットを表現する。接続終端点の具体例は、ＶＴ１．５，ＳＴＳ１，ＳＴＳ３Ｃ，ＳＴＳ１２Ｃ及びＳＴＳ４８Ｃ並びにＷＣＨチャネルである。ＳＤＨ接続終端点の具体例は、ＶＣ−３／ＶＣ−４／ＶＣ−１１／ＶＣ−１２等である。終端点は、トポロジリンクの終端点又は管理される接続の終端点を表現し、基本的にはＣＴＰ及びＰＴＰ点の抽象的なものである。終端点の具体例は、Ｔ１／Ｔ３／ＯＣ−Ｎポート及びＳＴＳ１／ＳＴＳ３／ＳＴＳ１２Ｃ／ＳＴＳ４８Ｃタイムスロットである。
【００１８】
相互接続部は２つの終端点の接続に関連する。トラフィックは相互接続を通じて接続終端点の間で搬送される。ソネット相互接続は、ＳＴＳ（同期伝送信号）又は仮想的トリビュータリ（ＶＴ：ｖｉｒｔｕａｌ  ｔｒｉｂｕｔａｒｙ）タイムスロット機能部を接続し、高速タイムスロットを別の高速タイムスロットに、又は低速タイムスロットを別の低速タイムスロットに接続する。相互接続部はある方向及びあるレートを有する。様々な方向は１方向及び２方向であり、様々なレートはＶＴ１．５／ＳＴＳ１／ＳＴＳ３Ｃ／ＳＴＳ１２Ｃ／ＳＴＳ４８Ｃである。レッドライン相互接続、サービス選択相互接続及びブリッジ相互接続のような特殊なタイプの相互接続があってもよい。一般に、レート及びタイプが同じ接続終端点のみが相互接続可能である。
【００１９】
本発明のネットワーク管理システムにおける相互接続には基本的に２つの異なる状態があり、それらはペンディング及びアクティブである。ペンディング相互接続はそのネットワーク要素内に存在しないが、アクティブ相互接続はそのネットワーク要素内に存在する。図２は、本発明の一実施例による相互接続に関する状態図を示す。生成２０２により、それが２０８で削除されるまで、相互接続はペンディング状態２０４又はアクティブ状態２０６である。ペンディング相互接続はアクティブになるように活性化可能であり、アクティブ相互接続はペンディングになるように非活性化可能である。
【００２０】
経路は、整列した一連の接続終端点、物理終端点及びトポロジリンク（接続はそのトポロジを横切る）である。経路は接続のワーキング（プライマリ）又はプロテクション（セカンダリ）経路とすることができる。いかなる接続終端点も経路のソース又は宛先とすることができる。経路は一方向又は双方向とすることもできる。双方向経路は反対向きの一方向経路を２つ有する。トポロジリンクは２つの物理終端点間の物理リンクである。トポロジリンクのレートは各端部での２つの物理終端点のレートによって決定され、これらは一般に同じレートであることを要する。具体例はＯＣ−ｎ／ＥＣ−１リンクのような光ファイバ／同軸ケーブルリンクである。
【００２１】
目下のネットワーク管理システム内で管理される接続は、基本的には、あるネットワーク要素のソース接続終端点と１以上の別のネットワーク要素内の１以上の宛先接続終端点との間のエンドトゥエンド接続である。接続はプロテクションレベルに依存する複数の経路から構築可能である。様々なプロテクションレベルは、完全に保護されるもの、部分的に保護されるもの及び全く保護されないものである。完全に保護される接続は総てのレッグ又は区間（ｌｅｇ）について少なくとも１つの代替経路を有し、全く保護されない接続は何らの代替経路も持たず、部分的に保護される接続では総てのレッグではないが幾つかが代替経路を有する。更に、接続は単方向、双方向及びブロードキャストのように分類できる。
【００２２】
接続は、ペンディング（ｐｅｎｄｉｎｇ）、アクティブ（ａｃｔｉｖｅ）及びパーシャル（ｐａｒｔｉａｌ）の３つの異なる状態にあることが可能である。ペンディング接続は相互接続の総てがペンディング状態にあるものであり；アクティブ接続は相互接続の総てがアクティブ状態にあるものであり；パーシャル接続は相互接続の幾つかがペンディングであって幾つかがアクティブなものである。図３は本発明の一実施例による接続の状態図を示す。生成されると３０２、削除３１０の前に、接続はペンディング３０４、アクティブ３０６又はパーシャル３０８の何れかの状態にある。接続の間に相互接続はある状態から別のものへ接続状態を変えるために活性化又は非活性化されることが可能である。いかなる接続も取り外し又は削除操作を通じて除去可能である３１０。図３に示されるように、ペンディング接続３０４又はパーシャル接続３０８は、アクティブ操作によりアクティブ接続になり得る。同様に、アクティブ接続３０６は非活性化操作によりパーシャル接続３０８又はペンディング接続３０４になり得る。
【００２３】
本発明の一実施例では、ネットワーク管理システムはネットワーク要素間の接続を形成する接続ルーチンを含む。接続はネットワークトポロジのソネット経路レイヤで作成される。従って、光の及び他の非経路終端ネットワーク要素は考察されない。以後、「接続」はソネット接続を示すことに留意を要する。
【００２４】
接続を形成する２つの一般的手法がある。１つの手法はマニュアルによるルーティングであり、他方は自動的なルーティングによるものである。自動ルーティング法では、ネットワーク管理システム内のルーティングルーチンがネットワークトポロジ及び他の基準に基づいて経路を自動的に生成する。ユーザは、ソース、宛先の接続終端点と、プロテクションレベル、レートその他のパラメータのような他のパラメータとを指定する。手動ルーティング法とは異なり、本システムは、ユーザが経路を明確に指定する必要性なしに保護された又は保護されていない接続を生成することができる。自動ルーティング法は、最小コストルーティングや経路の効率化を図る他の同様な方法のような１以上の経路最適化機能を使用してもよい。
【００２５】
マニュアルルーティング法では、ユーザは経路内のネットワーク要素を選択し且つ総ての相互接続を形成することで完全な経路を指定する。システムはネットワークを通じてナビゲートしてユーザを支援する。システムは相互接続を形成／削除するためにグラフィカルインターフェースをそしてテキストインターフェースも提供する。また、どのタイプの接続でもそれを規定する柔軟性を与える。その接続に関して有効な経路を指定することはユーザ次第である。本システムは、相互接続、リンク、タイムスロット等を確認する限定された正当化機能も提供する。本方法では（ユーザが接続に関する保護を必要とする場合に）その接続が適切な接続を用意することで保護されることを保証する責任はユーザにあることに留意することが重要である。マニュアルルーティングシステムでは、ネットワーク管理システムプログラムは、相互接続のようなユーザ用のいかなるネットワーク要素も自動的には提供しない。
【００２６】
マニュアルで生成された接続は基本的にはネットワーク要素の相互接続の集まりである。一実施例では、ネットワーク管理システムは経路選択に何らの制約も強制しない。そのシステムでは正当な接続を作成するのはユーザの責務である。一実施例では、システムは、有効でない接続又はコンフィギュレーションが選択された場合にユーザに警告し、可能性のある有効な選択肢をユーザに示唆するように構築可能である。厳格で自動的な制約の選択が無いことは、一時的な接続を構築すること、及び提案される接続用の作業要求を処理することの使用を許可する。システムによる限定された有効性の支援により、管理接続を設計することにも使用可能である。
【００２７】
図４は、本発明の一実施例によるネットワーク管理システムを用いて接続を管理する場合のプロセス及びステップに関する概略ブロック図である。接続管理システム４００は様々な接続機能を管理する様々なモジュールを含む。上述したように、接続は自動的なルーティング又は手動的なルーティングを用いて作成可能である。更に、接続は保護される又は保護されないように構築可能である。モジュール４０１は自動ルーティングを用いて接続を生成する一般的なプロセスを示す。保護される接続はプロセス４０４に示されるように自動ルーティングを用いて生成可能である。この場合に、１次的な経路は自動ルーティングを用いて生成され（ステップ４０８）、２次的な経路は自動ルーティングを用いて生成される（ステップ４１０）。保護されない接続がプロセス４０６に示されるように自動ルーティングを用いて生成されるならば、１次的な経路のみが自動ルーティングを用いて生成される（ステップ４０８）。
【００２８】
モジュール４０３はマニュアル接続を作成する一般的なプロセスを示す。接続はマニュアルルーティングを用いて作成される（ステップ４１２）。このステップでは、１次的経路はマニュアルルーティングを用いて作成され（ステップ４１４）、保護される経路の場合には、２次的経路がマニュアルルーティングを用いて作成される（ステップ４１６）。一実施例では、自動−手動の混合したルーティング法が実行されてもよいことに留意すべきである。例えば、自動的にルーティングされた１次経路及び手動でルーティングされた２次経路を用いて、或いは手動で作成された１次経路及び自動的に作成された２次経路を用いて保護された接続が構築可能である。
【００２９】
いったん接続が形成されると、モジュール４０５に示されるように、ネットワーク管理システム４００はその接続に関する様々な異なる動作をユーザに実行可能にする。接続管理システム４００が含むサブモジュールは、接続を発見するもの４２８、接続を確認するもの４２２及び接続レポートを作成するもの４２４である。システム４００は接続情報を見せるためのサブモジュール４２０も含む。サブモジュールは、手動でルーティングした接続を修正すること４３０、接続を活性化すること４３２、接続を非活性化すること４３８、接続を検査又は調整すること４３４、接続を分離すること４３６又は接続を除去すること４４０のような様々なタスクをユーザに実行可能にする。一般に、モジュール４０５内のサブモジュールの各々は、ユーザに表示される別個のグラフィカルユーザインターフェースを含む。
【００３０】
ネットワーク管理システムプログラム用のグラフィカルユーザインターフェースは、一連の階層的な表示ウインドウより成る。これらは、そのようなウインドウの中でも特に、詳細ウインドウ、報告ウインドウ、サーチダイアログ、発見ダイアログ及び検査／調停ダイアログを含み得る。図５は本発明の一実施例によるネットワーク管理システムプログラムで使用されるグラフィカルユーザインターフェース用の接続管理表示画面を示す。グラフィカルユーザインターフェース表示ウインドウ５００は、新規の及び既存の接続をユーザが管理可能にする詳細ウインドウを有する。詳細ウインドウ５００は一連のメニューオプション５０２を含み、それらはユーザが様々な接続管理機能にアクセスできるようにする。これらは、現在の接続を保存する保存オプション；現在の接続を削除する削除；現在の接続を活性化する活性化；現在の接続を非活性化する非活性化；現在の接続を分離する分離；現在の接続を検証する検証；現在のネットワーク内の相互接続を検査及び調停するオーディット；及び指定されたＴＩＤ及びＡＩＤから始まる接続を発見する発見；を含む。接続詳細表示領域５０４は、名称、ディメンジョン、ステータス及び接続のレートをユーザに指定可能にするフィールドを提供する。また、そのネットワーク接続の連絡先情報やネットワーク要素管理者のような接続に関する様々な属性を示す表示領域５０６を提供する。
【００３１】
詳細ウインドウ５００は、ある接続の中でユーザに相互接続を可能にする様々な機能ボタン５０８も含む。ボタンは、利用可能な総てのネットワーク要素のリストからネットワーク要素を選択するネットワーク要素付加；選択されたネットワーク要素の相互接続管理を開始する相互接続管理開始；総ての開放的な相互接続管理を更新する相互接続管理更新；及び接続のソースとして選択したネットワーク要素及び「ＡＩＤより」を設定する接続ソース設定／設定解除；のような機能を含む。選択されたネットワークノードをユーザがソースとして設定すると、接続ソース設定ボタンは「接続ソース設定解除」に変わる。接続宛先設定／設定解除は、接続の宛先として選択されたネットワーク要素及び「ＡＩＤへ」を設定する。選択されたネットワーク要素をユーザが宛先に設定すると、このボタンは「接続宛先設定解除」に変わる。次のネットワーク要素取得ボタンは、次のネットワーク要素と、ネットワーク要素にリンクされる対応する接続終端点とを得るためのものである。
【００３２】
ネットワーク要素付加ダイアログ（図示せず）は、詳細画面上の「ネットワーク要素付加」ボタンにより起動される。ダイアログは、そのネットワーク管理システムプログラムで現在利用可能なネットワーク要素のリストを表示する。ユーザは、そのリストから１以上のネットワーク要素を選択し、それらを現在の接続に加えることができる。
【００３３】
詳細ウインドウ５００は詳細接続表示領域５１０を含み、それらは１以上のペンディング又はアクティブの接続に関する様々な情報項目を表示する。接続は、表示領域５１０内で数字の順に表示され、例えば表示スクリーンの大きさに依存して、例えば５乃至１０までの接続が一度に表示可能である。図５の例に示されるように、各接続に関する情報は、ソース及び宛先ノードの識別子（ＩＤ）、レート、接続のタイプ及びステータスに加えて、その接続に関する様々な動作状態を含み得る。詳細ウインドウ５００は、簡略化された接続のソース及び宛先の情報表示領域５１２も含み得る。これらは、どの外部の詳細情報にもよらず、各接続についてのソース及び宛先ノードの識別子を含むことができる。接続に関する詳細又はレポート画面は、ウインドウ５００内に表示される詳細５１４又はレポート５１６オプションボタンを作動させることで生成できる。
【００３４】
マニュアル接続を生成することに含まれる幾つかのステップがある。これらのステップは、一般的な接続属性を付加すること、経路内にネットワーク要素を付加すること、ネットワーク要素内に相互接続を用意すること、ソース及び宛先接続終端点を選択することをユーザに要求するのが一般的である。ネットワーク管理システムプログラムは、ユーザが接続を保存する或いは起動する前にそれを編集可能にする。接続の編集は、接続属性を変更すること、以前に付加されていたネットワーク要素を経路から除去すること、経路のアイのネットワーク要素の相互接続を削除すること及びソース及び／又は宛先接続終端点を変更することを含む。
【００３５】
図６は本発明の一実施例によるマニュアルルーティングを用いた接続生成に関するステップを示すフローチャートである。ステップ６０２では、ユーザが一般的な接続属性を付加（又は変更）する。このステップでは、ユーザは以下の属性を入力又は変更する：空白（スペース）を除く固有のアスキーキャラクタである接続の名称（これは接続ＩＤと考えることもできる）；１方向、２方向又はブロードキャストとすることができる接続の方向；顧客名、説明、連絡先住所、連絡先電話番号、順番等のような顧客属性。上記の属性の内の方向属性は接続の検証及び／又はレポートで使用されてもよい。それらは経路選択に関する何らの制約も強制するようには使用されない。
【００３６】
ステップ６０４では、ユーザはネットワーク要素を経路に付加する。このステップではユーザは先ず経路内のネットワーク要素を入力する。これは、ソース、宛先又は中間的なネットワーク要素でもよい。ユーザインターフェースの実現手段に依存して、ネットワーク要素は、メニューリストから又は要素の選択及びドロップのように、テキストインターフェース又はグラフィカルインターフェースにより入力可能である。ネットワーク管理システムはネットワーク要素を接続の経路内のネットワーク要素のリストに加える。また、このリストをユーザに提示する。リストは、ユーザが経路を指定する際のネットワーク要素及び相互接続を含む。一般に、ユーザはこの方法で経路にいかなる数のネットワーク要素でも追加可能である。
【００３７】
次にユーザはネットワーク要素の相互接続を準備するためにグラフィック画面を起動する（ステップ６０６）。一実施例では、ネットワーク管理システムは、ネットワーク要素を選択することによって相互接続管理グラフィカルユーザインターフェースを起動する方法をユーザに提供する。システムは、ユーザにグラフィック画面を提示し、他の接続により使用されていてもいなくても存在する総ての相互接続と、他の接続により予約されているペンディングの相互接続とを表示する。システムは、既存の相互接続のどれもユーザが削除できないように構築されてもよい。表示インターフェースは、ユーザがそれらを見分けるのを容易にするように総ての相互接続を区別する。
【００３８】
ネットワーク要素内に相互接続を設ける場合に、ユーザはグラフィック画面を利用して相互接続を用意する選択肢、又はソースＡＩＤ、宛先ＡＩＤ、方向、レート及び他の相互接続の属性を指定することによるテキストインターフェースを用いて相互接続を直接的に入力する選択肢を有する。相互接続を入力するテキストインターフェースの場合に、最初に、システムは限定された確認を実行する。この場合、相互接続が有効であることを保証するのはユーザ次第であり、有効でなければそれらはネットワーク要素により否定される。ユーザがグラフィック画面を好む場合には、システムは、接続の一部になる１より多くの相互接続をユーザに用意することを許容する。ユーザは、（ネットワーク要素には存在しない）新たな相互接続を付加し、或いは（アクティブでも又はペンディングでも）既存の相互接続を選択してそれらを経路に付加することができる。ユーザは、既に付加した相互接続を削除すること及び何らかの新たな相互接続を追加することで、用意された相互接続（その接続に属するもののみ）に戻って編集／修正することができる。システムは、このネットワーク要素内のソースＣＴＰ及び／又は宛先ＣＴＰをユーザが選択する方法を提供する。ユーザはいつでもそれらの一方又は双方を選択できる。いったんこれがなされると、ユーザは、それらの相互接続総てを経路に追加し、その接続のソース及び／又は宛先ＣＴＰ情報（もしあれば）も更新する。システムはその相互接続を経路に付加し、その相互接続に関するリストを更新する。ユーザが接続に付加するどの相互接続についても、ユーザは経路内の次のネットワーク要素を得る機能を起動できる。システムは、関連する物理終端点から、ネットワーク要素への（もしあれば）及びリンクしたネットワーク要素における関連するＰＴＰ／ＣＴＰへのリンクを追跡し、それを経路に付加する。
【００３９】
ステップ６０８では、ネットワーク管理システムは、その接続を確証する限定された確認機能を提供する。ユーザはその接続がデータベース内に格納される前或いはネットワーク内で活性化される前に相互接続を確認する機能を起動できる。ネットワーク管理システム確認機能は、いかなる不一致もユーザに報告し、この機能は一般的には任意的ステップである。確認動作後に、システムはユーザがペンディング状態での接続を作成できるようにする。従って、ステップ６１０にて接続がペンディングであるか否かが判定される。ペンディング接続であったならば、システムはユーザがその接続を活性化するまで待機する（ステップ６１２）。接続が活性化されると、システムはデータベースにその接続を格納する（ステップ６１４）。システムは、エラーの接続を検査し、もしあればエラー報告によりその状態をユーザに報告するよう構築可能である（ステップ６１６）。
【００４０】
マニュアル接続の生成の際に、ネットワーク管理システムは、ユーザにより入力された総ての情報と共に接続オブジェクトをデータベース内に生成する。未知の何らかの例外が発生してシステムがそこから復元できない場合に、同じものをユーザに報告し、その接続を保存しない。様々な状態が例外やエラー状態の契機（トリガ）となる。例えばシステムは接続名が固有であることを保証する。もしそうでなかったならば、ユーザはその接続に関する固有の名称を入力するように促される。システムは接続の経路が他のどの接続とも重複しないことも保証する。即ち、新たな接続が他のどの接続でもそれと厳密に同じ相互接続を有していたならば、システムはその旨をユーザに報告し、その接続を保存ししない。
【００４１】
相互接続管理
上述したように、手動で生成した接続は１以上のネットワーク要素の相互接続の集まりである。図６のステップ６０６に示されるように、マニュアル接続を生成するステップは、ネットワーク要素の相互接続を準備する。本発明の一実施例では、ネットワーク管理システムプログラムは、相互接続管理ウインドウインターフェースと、ネットワーク要素内で相互接続を準備する１以上の実行可能なサブルーチン又はモジュールとを含む。
【００４２】
一実施例では、相互接続管理ウインドウは、図５の詳細ウインドウ５００における「相互接続管理開始」ボタンにより起動される。図７は本発明の一実施例による相互接続管理ウインドウ表示画面を示す。実際のネットワーク実現手段に依存して、ソネット、ＳＤＨ、ＤＳ０、Ｔ１及び同様な相互接続を含む多くの異なるタイプの相互接続が用意されてもよい。ネットワーク１００がソネットネットワークである場合には、ソネット相互接続情報のみが表示され、ツールバーボタンのいくつかは接続管理に固有である。一般に、ソネット相互接続はＳＴＳ又はＶＴタイムスロットファシリティを接続する。表示領域７００は、東−西−南の方向を特徴付け、３つの別個のネットワークノード間の接続の表示を可能にする。図７では、これらのノードはノード１．１（ＶＴ１）７０２、ノード２．１（ＶＴ１）７０４及びノード３（Ｄ１Ｅ）７０６で記される。各ノードに関連する四角形（例えば、１．１，１．２等）は各ノードについてのタイムスロット又はポート（又はタイムスロットやポートのグループ）を表す。様々なタイムスロットを接続する方向線（方向を示す線）は相互接続を表す。図７に示されるグラフィカルユーザインターフェースは、ネットワーク間の相互接続を表示すること及び作成又は修正することを簡易にすることを促進する。
【００４３】
ネットワーク管理システムプログラムはネットワーク要素間の相互接続の作成及び修正を考慮に入れる。一実施例では、グラフィカルユーザインターフェースは、表示される様々な相互接続要素の表示がそれらの状態に依存して変化できるように構築される。例えば、ウインドウ７００内で相互接続を表す線や矢印の大きさや形状が、それらのタイプ（例えば、１方向、２方向等）や状態（例えば、ペンディング、アクティブ等）に依存して変更可能である。図９は凡例ダイアログウインドウ９００であり、本発明の一実施例による相互接続線種のいくつかの例を示す。図９に示されるように、様々なタイプの相互接続を又はネットワーク管理システムプログラム内の相互接続の状態を表現するために、様々な異なる線種が使用可能である。
【００４４】
実際のネットワーク実現手段に依存して、（例えば３２チャネルに及ぶような）多数の相互接続チャネルがネットワーク要素の各々に構築可能である。このことは、限りある表示領域のモニタに相互接続図が表示される場合に、表示の問題を引き起こす。ほとんどのグラフィカルユーザインターフェースはスクローリング機能を提供し、モニタの閲覧可能な範囲を超えた場合に、複数の表示要素を通じてユーザがスクロールすることを可能にする。既存のスクローリング機能に関する問題を克服するため、本発明の一実施例のグラフィカルユーザインターフェースは属性リストに関する同期したスクローリング機能を有し、ネットワーク要素のソース及び宛先のペアの間の関連する接続が、互いに同期して表示されることを可能にする。
【００４５】
図８は相互接続管理ウインドウ表示画面を示し、これは本発明の一実施例による同期したスクローリング機能を実現する。ウインドウ８００に示されるように、スクロールバー機能ボタンが、ネットワーク要素各々のチャネルの列の直下に又は隣接して設けられる。図８に示されるように、シングルのスクロール機能８０４はネットワーク要素内のチャネルをユーザが１度に１チャネルスクロールできるように用意される。高速スクロール機能８０６は、ネットワーク要素の全チャネルをユーザが連続的にスクロールできるように用意される。スクロール同期機能８０２はソース及び宛先のネットワーク要素用のチャネル対の間でスクローリング機能を結合及び同期させる。この機能により、あるネットワーク要素のチャネルの中でユーザがスクロールする場合に、接続されるネットワーク要素用のチャネルが並んで（ｔａｎｄｅｍ）スクロールされる。これは、ある特定のチャネルに対するソースネットワーク要素を高速スクロールする必要性を排除し、従って同じチャネルに対する宛先要素をスクロールする必要性を排除し、それらのスクロールは多数のチャネルを有するネットワークについては非常に不便なタスクである。
【００４６】
従って、例えば図８に示されるように、イネーブルされる同期スクロール機能８０２により、ネットワーク要素１２．１用のスクロールボタン８０４は、１度に１チャネルずつ同時にネットワーク要素１２．１及び１３．１双方の表示をスクロールすることを支援し、スクロールバー８０４はこれらのネットワーク要素双方の表示を同時に連続的にスクロールすることを支援する。この機能を用いると、２つのネットワーク要素の類似するチャネル間の接続が追跡できる。
【００４７】
一実施例では、相互接続チャネルリストは、ネットワーク管理システムプログラム内の簡易なデータ構造として構築される。グラフィカルユーザインターフェースは、ユーザ端末のディスプレイにおけるチャネルを構成するグラフィック要素の構成を制御する。同期したスクローリングルーチンは、相互接続線のような規定された属性のペア又はグループの参照部分（例えば、チャネル数）を結合する関数として実現される。従って、あるテーブル上で行われたスクローリング動作は、結合されるネットワーク要素又はテーブル上での同じ動作を動機付ける（トリガを与える）。例えば表示されるチャネルに対して、結合されるテーブルが当初に整合していなかったならば、予備的な同期機能が先ず第２のテーブルを第１のテーブルに合わせ、同じリファレンスを参照しながら動機スクローリング操作が実行されるようにする。図８ではスクローリング機能ボタンは所定の位置及び方向に描かれているが、属性テーブルに関して様々な代替的な場所が可能であることに留意すべきである。例えば、スクロール機能ボタンは各テーブルのそばの異なる位置に設けることができ、或いは一組のスクロールボタンが２以上のテーブル用に設けることができる。
【００４８】
本発明の一実施例では、ネットワーク管理システムはトレース機能を有し、グラフィカルユーザインターフェースの表示領域内で完全には見えないタイムスロットに関してユーザが接続を決定可能にする。トレース機能はユーザインターフェースによりアクセス可能なポップアップメニューによりアクセスできる。トレース機能は、選択されたタイムスロットから経路接続を表示するように、或いは選択された経路接続に接続されるタイムスロットを表示するように構築できる。
【００４９】
様々な機能がポップアップメニュー又は同様なインターフェース機構によりユーザにアクセス可能である。上述のトレース機能と並んで、現在の相互接続線を表示するような機能は、相互接続線に関するレッドライン及び同様な機能を設定する。
【００５０】
図７に示されるグラフィカルユーザインターフェースを用いると、ソースネットワーク要素中のチャネルから宛先ネットワーク要素中のチャネルへ単に線を引くことでユーザは相互接続を用意することができる。そしてユーザは図９に示されるような線種を指定することによって相互接続のタイプを決めることができる。一般に、作成された相互接続はそれが活性化される或いは削除されるまでペンディングとして規定できる。相互接続が修正済みの相互接続としてマークできるようにするレッドライン機能が用意される。
【００５１】
ネットワーク要素内で相互接続がいったん規定されると、そのネットワークリンクについての関連する情報を表示するレポートが生成される。ネットワーク管理システムプログラムは、ペンディングの又は用意された相互接続に関する適切な情報を表示する相互接続レポート機能を有する。図１０は本発明の一実施例による相互接続レポート表示画面を示す。レポート画面表示領域１０００は、選択されたネットワーク要素に存在する総ての相互接続を列挙し、例えばチャネル１−８のようなチャネル番号に関する関連情報が表示される。様々な機能ボタン１００２は次のような機能へのアクセスを可能にする：データベースから現在のレポートを再ロードする「生成」；一群の以前の記録を取得する「前」；次の一群の記録を取得する「次」；現在のレポートを印刷する「印刷」；１以上のフィルタを現在のレポートに適用する「フィルタ」；現在のレポートを並べ換える「ソート」；現在のレポートから列を隠す或いは表す「コラム」；及び現在選択されている行を非選択化する「選択解除」。接続概要レポートにより、メイン詳細画面で接続が選択可能及び表示可能である。
【００５２】
レポート画面１０００内の表示フィールド１００４は、相互接続の始点や終点、相互接続の名称／レート／タイプ、ブリッジアクセス識別子（ＡＩＤ）及び他の種別の情報のような様々な情報項目を列挙する。レポートは相互接続がレッドライン相互接続であるか否かを表示することもできる。レッドライン相互接続は変更された跡が記されている相互接続である。更新ネットワーク要素プロセスが実行されると、その変更は効果をもたらす。図１０に示される相互接続管理レポート画面は主に説明目的のものであり、ネットワーク要素の相互接続に関する他の多くのタイプの情報が編集可能及び表示可能である。
【００５３】
接続管理
ネットワーク要素に関する相互接続がいったん規定されると、ネットワーク接続が形成され、検証され、ネットワーク管理システムデータベースに格納される。図６はネットワーク接続を作成する一般的なステップを示す。ネットワーク管理システムプログラムは、作成した接続の一般的な属性及び経路をユーザが修正できるようにする機能を含む。これは図４のプロセス４３０に示されている。
【００５４】
図１１は本発明の一実施例によるマニュアルで作成された接続を修正するプロセスを示すフローチャートである。このプロセスではユーザが修正する接続名を先ず入力する（ステップ１１０２）。そしてシステムは接続情報をユーザに表示する（ステップ１１０４）。この情報は、名称、方向、顧客属性、レートのような導出される属性（相互接続のレートから導出できる）、及び接続状態（アクティブ、ペンディング又はパーシャルであるか否かを示す）のような一般的な接続情報を含み得る。システムは接続の全体経路も表示する。システムは、図７に示されるように経路内の総ての相互接続を示し、それは図１０に示される属性を含む。システムはユーザインターフェースを通じて接続情報をユーザに表示する。システムは接続情報にアクセスしているユーザを追跡する。所与の名称に関して何らの接続も存在しなかったならば、システムはユーザに警告し、実行する別の選択肢を促す。システムが動作を完了できず、そこから復元できなかったならば、ユーザにその旨を通知する。
【００５５】
接続のレートや状態のような導出される属性を除いて、システムはいかなる属性の値でもそれをユーザが修正することを認める（ステップ１１０６）。また、新たな顧客属性を規定することや既存のどれでも削除することをユーザに認める。システムは、ネットワーク要素の付加を認めて、接続の経路をユーザが修正することを認める（ステップ１１０８）。このステップでは、ユーザは付加されるネットワーク要素をネットワーク要素のリストから選択し、システムはそれを経路内のネットワーク要素のリストに加える。
【００５６】
ステップ１１１０に示されるように、グラフィック的に又はテキスト的に削除するために、システムは、経路内に存在するネットワーク要素の相互接続を選択する方法を提供する。このステップでは、ユーザは削除するためにネットワーク要素の１つの中に存在する相互接続を選択する。システムは相互接続が他の接続の一部であるか否かを見出すために検査する。一部でなかったならば削除するように相互接続をマークする。そうでなかったならば、この接続との関連を破るようにそれをマークする。
【００５７】
システムは経路内に存在する要素の１つに新たな接続をユーザが付加する方法を提供する（ステップ１１１２）。このステップでは、ユーザはネットワーク要素を選択し、システムは相互接続を準備するために図７のようなグラフィック画面を提示する。ユーザは新たな相互接続を用意し、或いは存在するものを選択する。ユーザが相互接続を準備し終えると、その旨がシステムに通知される。ユーザは新たな相互接続をテキストで入力することもできる。システムはその接続の中で経路に相互接続を付加する。システムは関連するＰＴＰ及びＣＴＰに対するリンクをトレースし、同じ情報をユーザに与える。
【００５８】
ステップ１１１４に示されるように、ソース接続終端点及び／又は宛先接続終端点をユーザがいつでも変更できることをシステムは認める。ユーザはソース若しくは宛先ＣＴＰ又は双方を変更し、システムはその変更を接続情報に反映する。
【００５９】
一般に、ネットワーク管理システムは図１１のステップ１１０６乃至１１１４のどの特定の順序にも強制されず、ユーザはいかなる順序でもそれらのステップを実行できる。修正が完了したことをユーザがシステムに知らせると、システムは限定された任意的な検証機能を提供することができ、その機能は、連続性（破断又はリンク無し）、一貫したタイムスロット及び一貫した方向を検査することで接続を検証する（ステップ１１１６）。そしてシステムはその修正を確認し、それをデータベースに保存する（ステップ１１１８）。接続の状態が修正前にアクティブであったならば、システムは修正の一部として追加されるいかなる新規の相互接続も活性化しようとする。接続の状態がアクティブ以外のものであったならば、それはデータベースに保存されるだけである。システムは、ネットワーク要素に送付した総てのコマンドのステータスをユーザに報告する。システムは、データベース及び／又はネットワーク内の接続情報を更新することによって終了する。
【００６０】
接続が作成される及び／又は修正されると、図４に示される活性化プロセスによってそれは活性化される。活性化プロセスは、ペンディング接続又は部分的なペンディング接続をユーザが活性化することを可能にする。ペンディング接続は、相互接続の全部又は一部がネットワーク内で活性化されるのを待機しているペンディング状態にあるものである。接続中にいかなるペンディング相互接続でもそれが存在するならば、システムはネットワーク要素中の各相互接続を起動するように適切なコマンドを送信する。システムは、ネットワーク要素からの応答に従ってリアルタイムで各コマンドのステータスを動的に更新することで、ネットワーク要素に送信された相互接続コマンド各々のステータスを示す。総てのコマンドが送信されそれらの応答が受信された後に、システムはユーザに活性化の状態を通知する。ステータスは接続が完成した（総てのコマンドが成功した）、失敗した（総てのコマンドが失敗した）又はパーシャル（一部のコマンドが成功した）か否かを示す。接続のステータスはその後適切に更新される。活性化状態が成功でなかったならば、システムは失敗した相互接続の総てをユーザに報告する。システムは、ネットワーク要素からのコマンド応答に従って、データベース内の各相互接続の状態を含む接続の状態を更新する。システムが操作を完了できず、そこから復元できなかったならば、それはユーザに通知される。
【００６１】
作成された接続は図４のプロセス４３８に示されるように活性化解除できる。このプロセスはネットワーク内の接続をユーザが活性化解除することを認める。接続に関連する相互接続は、自身の接続からではなく、接続の経路内のネットワーク要素からしか削除されない。これらの相互接続は依然としてその接続の一部であり、ペンディング状態にある。そのように、相互接続及び接続はシステムデータベースに依然として格納される。システムは接続に関連するアクティブの相互接続総ての活性化を解除する。活性化の解除が首尾よく行われた後に、接続中の総ての相互接続はペンディング状態にある。
【００６２】
（レッドラインでもあってもなくても）他の接続により使用されていない総てのアクティブな相互接続に関し、システムは、ネットワーク要素中の各々を削除し及びネットワーク要素による良好な完成後に状態をペンディングに変えるコマンドを送信する。他の接続で使用されている総てのアクティブな相互接続に関し、システムはそれらの相互接続については何も行わない。システムは高次の相互接続の活性化を解除しない。システムは、ネットワーク要素に送信された相互接続コマンド各々のステータスを示し、ネットワーク要素からの応答に従って各々の状態を動的に（リアルタイムで）更新する。総てのコマンドが送信され且つそれらの応答が受信された後に、システムは活性化解除のステータスをユーザに通知する。ステータスは、操作が完了した（総てのコマンドが成功した）、失敗した（総てのコマンドが失敗した）又はパーシャルである（幾つかのコマンドが成功した）か否かを示す。接続の状態はその後適切に更新される。
【００６３】
図４のプロセス４３６に示されるように、接続はシステムから取り外されることも可能である。接続分離プロセスは、相互接続及び接続間の関連性をユーザが壊すことを認める。接続はネットワーク管理システムデータベースから削除される。相互接続は（それらが他の接続の一部であってもなくても）ネットワーク要素内に加えてデータベース内に依然として維持される。その接続に所属するペンディング相互接続のみが、その親の接続オブジェクトと共にそのデータベースから削除される。
【００６４】
ユーザが分離プロセスを確認すると、システムはその接続とそれに関連する総てのアクティブな相互接続（即ち、ネットワーク要素及びシステムデータベースでアクティブなもの）との関連付けを解除する。システムは、その接続に関連する総てのペンディング相互接続を削除し、システムデータベースから接続オブジェクトを削除する。
【００６５】
図４の接続削除プロセス４４０は、（ネットワーク及びデータベースの双方における）ある接続に所属する総ての相互接続を削除すること及びシステムデータベースからその接続自体を削除することをユーザに認める。他の接続の一部である相互接続は削除されない。削除される接続に関連するもののみが除去される。この特性は基本的には接続の活性化解除４３８及び接続分離４３６の２つのプロセスを１つのプロセスに結合する。  
接続削除プロセス４４０では、（レッドラインであってもなくても）接続中のアクティブな相互接続各々について、それが他の接続に使用されるか否かをシステムは見出す。使用されるならば、その相互接続と削除される接続との関連性を除去する。相互接続が他のどの接続によっても使用されていなかったならば、システムはネットワーク要素内の相互接続を削除するコマンドを送信する。システムは接続中の高次の相互接続を削除しない。システムは、ネットワーク要素に送信した相互接続コマンド各々のステータスを示し、ネットワーク要素からの応答に従ってステータスを動的に更新する。システムはもしあればデータベースからこの接続に属するペンディング相互接続総てを削除する。接続オブジェクトに関連する更なる相互接続がなければ、システムはデータベースからそれを削除する。相互接続の削除は最善努力指針（ｂｅｓｔ−ｅｆｆｏｒｔ  ｐｏｌｉｃｙ）に基づく。システムは相互接続を削除しようとして失敗した削除をユーザに報告する。システムは、相互接続削除動作の結果によらず、データベースから接続オブジェクトを削除する。システムは、接続オブジェクトの削除を確認し、又はコマンド応答でユーザにいかなるエラーも通知する。
【００６６】
ネットワーク管理システムは図４に示されるように接続検証／調停プロセス４３４も含む。このプロセスは接続をネットワーク要素に合わせること又はネットワーク要素を接続に合わせることをユーザに認める。システムは、接続中の総ての相互接続を検証し、システム及びネットワーク要素双方各自の状態の相違を示す。接続中の総ての相互接続に関し、システムは、ネットワーク要素から同じ相互接続を検索し、システムデータベースにおける及びディスプレイに並んだネットワーク要素におけるそのステータスを示す。相互接続がネットワーク要素内に存在しなかったならば、それは存在しないものとして示される。
【００６７】
システムは調停機能を提供し、その機能は、データベース内の相互接続とネットワーク要素内のものとを調停するすためにユーザが起動できるものである。相違する相互接続総てについて、ユーザがデータベースを調停することを選択すると、システムは、相互接続内のシステム内の状態をネットワーク要素のもので更新する。相互接続がネットワーク要素中になく、データベース内でアクティブであったならば、システムは相互接続の状態をペンディングに変える。相互接続がネットワーク要素内でアクティブであってデータベース内でペンディングであったならば、システムはデータベース内でその状態をアクティブに変更し、その属性をネットワーク要素相互接続のもので更新する。システムが総ての相違する相互接続についてこのプロセスを完了すると、データベースはネットワーク要素と調和したことがユーザに通知される。
【００６８】
総ての異なる相互接続について、ユーザがネットワーク要素を調停することを選択すると、システムは以下の動作を行う：相互接続がデータベース内でアクティブであってネットワーク要素内で非存在であったならば、システムはその相互接続を活性化するために適切なコマンドをネットワーク要素に送信する。相互接続がデータベース内でペンディングであってネットワーク要素内でアクティブであったならば、システムはネットワーク要素からその相互接続を削除する適切なコマンドを送信する。システムは、自身によって作成されてはいない相互接続を削除しない。接続の非活性化及び削除の機能と同様に、ＳＴＳ１レートのもののような高次の相互接続はネットワーク要素から削除されない。
【００６９】
図４に示されるように、プロセス４０５は接続をユーザが発見することを可能にするサブプロセス４２８を含む。このプロセスでは、システムデータベースにはない接続の終点が与えられると、接続発見動作はその接続を自動的に発見し、ルーティング情報をシステムデータベースに与える。このプロセスは、接続マネジャがインストールされる以前に存在していた接続を発見するために使用できる。データベース内でデータが崩壊している場合には、ユーザは、接続分離プロセス４３６を起動し、ネットワーク要素コンフィギュレーションデータに関するルーティング情報を再発見するために接続発見プロセス４２８を実行することができる。
【００７０】
接続発見プロセス４２８では、ユーザはソースＣＴＰのＡＩＤを指定し、システムは進入するＣＴＰ及び進出するＣＴＰのリストから相互接続を検索する。何らの相互接続も発見されず、現在のネットワーク要素がソースネットワーク要素であったならば、プロセスは何らの接続も発見されなかったものとして終了する。現在のネットワーク要素がソースネットワーク要素でなかったならば、接続は前のノードのＣＴＰで終端する。前のＣＴＰは宛先ＣＴＰになり、プロセスは進行する。前のノードで訪れていない進出ＣＴＰがあると、システムはその以前のノードに戻ってプロセスが進行する。次のステップでは、システムは進出ＣＴＰから１つのＣＴＰを取り出し、そのＰＴＰを見出す。システムは、次のネットワーク要素に到達するためにそのＰＴＰからのリンクに従う。そのＰＴＰから何らのリンクもなければ、接続はそのＣＴＰで終端する（即ち、それは宛先ＣＴＰになる。）。
【００７１】
リンクがあれば、システムは次のネットワーク要素を取得し、前のＣＴＰと同じタイムスロットを使用する進入ＣＴＰを検索する。例えば、接続のレートがＶＴ１．５であり、システムがＶＴ１．５のレートでＣＴＰを取得しようとし；何らのＶＴＣＴＰも存在しなかったならば、システムはＳＴＳ１  ＣＴＰを取得しようとする。システムは、進入ＣＴＰから相互接続を検索するステップから反復する。発見された総ての宛先ＣＴＰについて、ソースＣＴＰに達するまでシステムは後方接続を発見することを反復する。宛先ＣＴＰに到達して宛先ＣＴＰからソースＣＴＰへ戻る場合に、或いは不完全な接続に起因してシステムが更に進行できない場合にプロセスは終了する。
【００７２】
ネットワーク管理システムは図４に示されるように接続４２２を検証するプロセスを含む。これは、相互接続、物理的リンク及びＣＴＰタイムスロットに関する検証を認める。検証プロセスは、総ての相互接続が進入ＣＴＰから発していること又は目下のネットワーク要素がソースネットワーク要素であるならばソースＣＴＰから発していることをシステムが確認することから始まる。もしそうでなかったならば、システムはユーザにエラーを通知し、その進入ＣＴＰから発する相互接続を継続する。接続が２方向であったならば、システムは進入及び進出ＣＴＰ間に２つの相互接続があることも確認し、そうでなければシステムはエラーを報告する。システムは進出ＣＴＰから１つのＣＴＰを取得し、そのＰＴＰを見出す。システムは次のネットワーク要素に到達するためにそのＰＴＰからのリンクに続く。そのＰＴＰから何らのリンクもなかったならば、プロセスは以下の結果と共に終了する：総てのネットワーク要素を訪れたならば接続検証は成功であり、その接続はそのＣＴＰで終端する。依然として訪れていないネットワーク要素が存在するならば、システムはユーザにエラーを通知する。ユーザが宛先ＣＴＰを指定していたならば、システムは、現在のＣＴＰが宛先ＣＴＰであるか否かを検査し、それらが同じでなければユーザに通知する。システムは次のネットワーク要素を取得し、以前のＣＴＰと同じタイムスロットを使用する進入ＣＴＰを検索する。例えば、接続のレートがＶＴ１．５であるならば、システムはＶＴ１．５でＣＴＰを取得しようとし：何らのＶＴ  ＣＴＰもなければ、システムはＳＴＳ１ＣＴＰを取得することを試みる。プロセスは反復し、接続の終点に到達した場合、或いは不完全な接続に起因してシステムが更に進行できない場合にプロセスは終了する。システムは、接続が有効であるか否か及びその理由をユーザに通知する。
【００７３】
本発明の一実施例では、ネットワーク管理システムはノード管理プロセスを有し、ネットワークアーキテクチャを再構成することに加えて、ネットワーク要素を挿入すること及びネットワークからネットワーク要素を除去することをユーザに認める。これらの動作は、ノード管理として集合的に言及される。これらの動作は、ネットワーク要素コンフィギュレーション、ネットワークトポロジ及び接続データベースに影響を及ぼすことができる。ノード管理プロセスは、多くの準備動作からユーザを解放するため、できるだけ多くの準備する作業を自動化する。
【００７４】
ノード管理に関し、ネットワークトポロジが規定されなければならず、そのトポロジ内のネットワーク要素は自動的に発見される必要がある。挿入される新たなネットワーク要素がその後に作成され、自動的に発見される。このプロセスを実行するために、ユーザはトポロジマップ上でリンクを選択し、挿入ノードメニューを選択する。システムは、新規ノードのＴＩＤ及び新しいリンクがつながるＰＴＰのＡＩＤを問い合せる。システムは、影響を受ける総ての接続を発見し、それらをユーザに表示する。システムは挿入を確認するようにユーザに求める。ユーザがそれをキャンセルすると、プロセスはシステムに対する何らの変更もなしに終了する。ユーザが確認すると、システムは、ユーザが選択したリンクを削除し、新たなノードから、削除されるリンクに当初接続されていたノードに至る２つの新たなリンクを作成する。システムは新たなノード及び相互接続を影響を受ける接続に付加する。システムは新たなノード上で相互接続を作成する。相互接続の状態は以下の規則に従って設定される：接続の状態がアクティブならば相互接続はアクティブとして作成され；相互接続の状態がペンディングならば相互接続はペンディングとして作成され；及び相互接続の状態がパーシャルならば相互接続の状態はパーシャルとして作成される。ユーザが相互接続作成を確認し或いはユーザが相互接続作成をキャンセルした場合にこのプロセスは終了する。
【００７５】
ノードがシステムから除去されると、システムは影響を受ける接続を発見し、それらをユーザに示す。システムはユーザに削除を確認するよう求める。ユーザがそれをキャンセルすると、プロセスはシステムに対する何らの変更も行わずに終了する。ユーザが削除を確認すると、システムはノードに接続されたリンクを削除し、削除されたノードに当初接続されていたノード間の新たなリンクを作成する。システムはノードの相互接続を接続から除去する。システムは相互接続をネットワーク要素から削除する。除去されたノードに接続されていたリンクは削除され、必要な新たなリンクが生成される。除去されたノードにおける相互接続はその接続及びネットワーク要素から除去される。
【００７６】
本発明の一実施例では、ネットワーク管理システムプログラムは、接続管理システムに関連する様々なウインドウを表示するグラフィカルユーザインターフェースを含む。接続管理システムのメインウインドウは、接続概要報告ウインドウである。図１２は本発明の一実施例によるネットワーク管理システムプログラムで使用されるグラフィカルユーザインターフェース用の接続概要レポート表示画面を示す。接続概要報告ウインドウは、ネットワーク全部の又は選択された接続に関する概要情報を表示し、オプションフィールド１２０２を通じて、ネットワーク内の様々なレイヤに関する他のレポートへのアクセス機能を与える。接続概要報告ウインドウ１２００のメイン表示領域は、接続名、レート／波長、階層、状態、方向、ソースネットワーク要素ＴＩＤ、ソースＣＴＰ  ＡＩＤ、宛先ネットワーク要素ＴＩＤ、宛先ＣＴＰ  ＡＩＤ及び可能な他の同様な接続パラメータのような様々な表示フィールドを含む。
【００７７】
図１２に示されるように、接続概要報告ウインドウは、接続詳細ウインドウ、アラームウインドウ、ネットワーク要素ウインドウ及びリンクレポートウインドウを含む他の報告ウインドウへのアクセス機能を提供する。接続詳細報告ウインドウは、ネットワーク内の総ての接続の詳細なデータを提供する。アラームレポートウインドウは警報を有する総ての接続についての情報を提供する。ネットワーク要素レポートウインドウは総ての接続及びそれらが包含するネットワーク要素を表示する。リンクレポートウインドウはリンクを通過する総ての接続に関する情報を含む。
【００７８】
接続詳細ウインドウを用いて個々の接続は形成され及び維持され、そのウインドウは接続報告ウインドウから始められる。図１３は本発明の一実施例による接続詳細レポート画面を示す。接続詳細レポートは、ネットワーク内で選択された接続の詳細を示す。メイン表示ウインド１３００は、概要レポート１２００の全フィールドに加えて、レート、タイプ及びステータスのような相互接続情報に関するフィールド１３０４を含む。残りのひょじりょういき１３０６，１３０８，１３１０及び１３１２は図５に関連して説明されたフィールド５０６−５１２に概ね対応する。
【００７９】
接続管理アラームレポートは接続概要レポートウインドウ１２００を通じてアクセス可能である。アラームレポートウインドウは接続に関連する総てのアラームについての概要レポートを表示する。図１４は本発明の一実施例によるアラームレポート表示画面を示す。アラームレポート表示画面のメイン表示領域１４００は、危機的な、重要な、重要でない、注意のような警報の重要度を示す重要度フィールドを含む幾つかの表示フィールドを提供する。名称、レイヤ、状態及び波長の傾向等も表示される。他のフィールドは、接続のレート／波長、接続中のソースに関するネットワーク要素ＴＩＤ／ＡＩＤ、接続中の宛先に関するネットワーク要素ＴＩＤ／ＡＩＤ、接続の属性及び障害又は警報のタイプを含む。
【００８０】
本発明の一実施例では、ネットワーク管理システムのグラフィカルユーザインターフェースは様々なダイアログ画面を含み、ユーザが、様々な機能を実行し及びその結果を表示できるようにする。ダイアログスクリーンは典型的には副次的な枠（サブウインドウ）又は重複的な枠（オーバーレイウインドウ）として実現され、図１２の接続レポートウインドウのようなメイン表示画面と共に表示される。そのような１つのダイアログ機能はサーチダイアログであり、接続名、ネットワーク要素、ＡＩＤ、方向、速度、接続属性（名称／値のペア）その他のそのような基準のような所定の接続基準に基づいてユーザが接続を探索することを可能にする。探索結果は結果表に表示され、接続は選択可能であってメイン詳細画面に表示可能である。
【００８１】
発見ダイアログは、ソースＴＩＤ及びソースＡＩＤを用意することによって既存の接続をユーザが発見することを認める。発見の結果の相互接続はテーブルに示され、新たな接続を作成するのに使用できる。
【００８２】
検証／調停ダイアログは、接続中のネットワーク要素及びネットワークデータベース間の相互接続の相違をユーザが見つけることを可能にする。一実施例では、検証プロセスはバッチ形式で実行され、調停プロセスはリアルタイムで実行される。ダイアログテーブルは現在の処理を示すために動的に更新される。図１５は例示的な検証接続ダイアログサブウインドウを示し、図１６は例示的な調停接続ダイアログサブウインドウを示す。
【００８３】
様々なグラフィカルユーザインターフェース画面及びダイアログサブウインドウを示す図は具体例を示すに過ぎないこと、及びそのような表示要素のレイアウト及び内容はネットワーク管理システムの実際に実現される詳細に依存して変更可能であることに留意すべきである。
【００８４】
ソネットネットワークを参照しながら本発明の実施例が説明されてきたが、ＳＤＨ、Ｔ１及び他の同様な広域又は大規模のネットワークのような他のタイプのネットワークを利用する代替実施例も使用可能である。
【００８５】
以上、広域的な光ネットワークを管理するための接続管理システム及びグラフィカルユーザインターフェースが説明された。本発明は具体的な実施例を参照しながら説明されたが、特許請求の範囲に記載されるような本発明の広い精神及び範囲から逸脱せずに、様々な修正及び変更がこれらの実施例になされてもよいことは明白であろう。従って、明細書及び図面は限定的な意味ではなく例示的に解釈されるべきである。
【図面の簡単な説明】
【００８６】
【図１】本発明を使用可能な大規模ネットワークを示す図である。
【図２】本発明の一実施例による相互接続に関する状態図を示す。
【図３】本発明の一実施例による接続に関する状態図を示す。
【図４】ネットワーク管理システムを用いる接続管理に含まれるステップを概略的に示す本発明の一実施例によるフローチャートである。
【図５】本発明の一実施例によるネットワーク管理システムプログラムで使用されるグラフィカルユーザインターフェース用の接続管理表示画面を示す図である。
【図６】本発明の一実施例によるマニュアルルーティングによる接続を構築するステップを示すフローチャートである。
【図７】本発明の一実施例による相互接続管理ウインドウ表画面を示す図である。
【図８】本発明の一実施例による同期したスクローリング機能を実現する相互接続管理ウインドウ表示画面を示す図である。
【図９】本発明の一実施例によるいくつかの例示的な相互接続線タイプを示す凡例ダイアログウインドウを示す図である。
【図１０】本発明の一実施例による相互接続レポート表示画面を示す図である。
【図１１】本発明の一実施例によりマニュアルで生成した接続を修正するプロセスを示すフローチャートである。
【図１２】本発明の一実施例によるネットワーク管理システムプログラムで使用されるグラフィカルユーザインターフェース用の接続レポート表示画面を示す図である。
【図１３】本発明の一実施例による接続の詳細なレポート表示画面を示す図である。
【図１４】本発明の一実施例による警報レポート表示画面を示す図である。
【図１５】検査接続ダイアログサブウインドウ例を示す図である。
【図１６】調停接続ダイアログサブウインドウ例を示す図である。
【図１】
2006506903.tif 000003
【図２】
2006506903.tif 000004
【図３】
2006506903.tif 000005
【図４】
2006506903.tif 000006
【図５】
2006506903.tif 000007
【図６】
2006506903.tif 000008
【図７】
2006506903.tif 000009
【図８】
2006506903.tif 000010
【図９】
2006506903.tif 000011
【図１０】
2006506903.tif 000012
【図１１】
2006506903.tif 000013
【図１２】
2006506903.tif 000014
【図１３】
2006506903.tif 000015
【図１４】
2006506903.tif 000016
【図１５】
2006506903.tif 000017
【図１６】
2006506903.tif 000018
【国際調査報告】
2006506903.tif 000019